(57)【要約】【課題】コントラストの大きさに関係なく、違和感のない撮像の輪郭補正装置を提供することを目的とする。【解決手段】画像信号から輪郭補正信号を生成する輪郭補正信号生成回路と、前記輪郭補正信号生成回路の出力の幅を広げるための拡張回路と、前記拡張回路から前記輪郭補正信号の利得を制御するための制御信号をうる制御値生成回路と、前記輪郭補正信号を前記制御信号で利得を調整する掛け算器と、前記画像信号と前記掛け算器出力を加算する加算器により、ビデオ信号のコントラストが小さいときに対して、コントラストが大きいときには輪郭補正信号の補正量を小さくして画像の違和感をなくすることができる。【選択図】  図１
2005012639.tif 000002
【特許請求の範囲】
【請求項１】
画像信号から輪郭補正信号を生成する輪郭補正信号生成回路と、前記輪郭補正信号生成回路の出力の幅を広げるための拡張回路と、前記拡張回路から前記輪郭補正信号の利得を制御するための制御信号を得る制御値生成回路と、前記輪郭補正信号を前記制御信号で利得を調整する掛け算器と、前記画像信号と前記掛け算器出力を加算する加算器とを備えたことを特徴とする撮像の輪郭補正装置。
【請求項２】
前記拡張回路は、
前記輪郭補正信号から絶対値を検出する回路と、
複数の遅延を得るための遅延回路と、
前記遅延回路の出力から白ＮＡＭを出力する白ＮＡＭ回路から成ることを特徴とする請求項１記載の撮像の輪郭補正装置。
【請求項３】
前記制御値生成回路は、
所定レベルを減算する減算回路と、
前記減算回路出力のマイナス信号をクリップするクリップ回路と、
前記クリップ回路の所定値以上をクリップする所定値以上クリップ回路と、
利得を調整するための掛け算器と、
１から前記掛け算器出力を引き算する引き算器から成ることを特徴とする請求項１記載の撮像の輪郭補正装置。
【発明の詳細な説明】
【０００１】
【発明の属する技術分野】
本発明は、撮像装置における画像信号処理に係わり、特に画像の輪郭補正信号に関するものである。
【０００２】
【従来の技術】
撮像装置において、画質を決定する要素の１つとして解像度があり、この解像度をあげるために輪郭補正が行われており、図５の撮像装置において、２０はレンズ、２１は３色分光系、２２は３つのＣＣＤ、２３はＣＣＤから得られるＲ，Ｇ，Ｂ信号からガンマ処理等を施してＹ，Ｒ−Ｙ，Ｂ−Ｙ信号を出力するプロセス回路、２４は輪郭補正装置で構成される。  輪郭補正信号装置は撮像装置の周波数特性を改善し、解像度を改善するために使用されている。
【０００３】
以下に従来の輪郭補正について説明する。
【０００４】
従来、撮像装置の輪郭補正は特開２００１−５３９８５号公報に記載されたものが知られている。その構成図を図６に示す。図６において２５は入力端子、２６は輪郭補正信号生成回路、２７は前記輪郭補正信号生成回路出力の大振幅を制限するリミーター、２８は利得調整回路、２９は前記入力信号と前記利得調整回路との加算器、３０は出力端子である。図７は図６の構成による撮像装置の輪郭補正回路の各部波形図である。図７（ａ）の信号は入力信号端子に得られるビデオ信号、図７（ｂ）は輪郭補正信号生成回路２６の出力信号となる。次にリミター２７で所定以上の振幅をクリップすると図７（ｃ）の波形が得られる。この波形を利得調整回路２８で利得を調整し、入力端子のビデオ信号と加算することで出力端子には図７（ｄ）の信号が得られる。このように輪郭補正信号が所定レベルを越えたときにクリップを動作させることによって、輪郭補正信号が小さい時にはそのまま出力され、大きいときにはリミッターでクリップされて出力される構造になっている。
【０００５】
【特許文献１】
特開２００１−５３９８５号公報
【０００６】
【発明が解決しようとする課題】
上記の構成でビデオ信号のコントラストが大きいときに輪郭補正量をクリップして、エッジに付きすぎる輪郭補正信号を制限することで違和感を軽減することができるが、この方法では振幅を抑えることができるが、幅は残ったままであり、完全に違和感を取り除くことができない。
【０００７】
本発明はかかる点に鑑みコントラストの大きさに関係なく、違和感のない撮像の輪郭補正装置を提供することを目的とする。
【０００８】
【課題を解決するための手段】
この課題を解決するために本発明の撮像の輪郭補正装置は、画像信号から輪郭補正信号を生成する輪郭補正信号生成回路と、前記輪郭補正信号生成回路の出力の幅を広げるための拡張回路と、前記拡張回路から前記輪郭補正信号の利得を制御するための制御信号をうる制御値生成回路と、前記輪郭補正信号を前記制御信号で利得を調整する掛け算器と、前記画像信号と前記掛け算器出力を加算する加算器とで構成したものである。
【０００９】
この構成によって、ビデオ信号のコントラストが小さいときに対して、コントラストが大きいときには輪郭補正信号の補正量を小さくして画像の違和感をなくすることができる。
【００１０】
また、拡張回路は、前記輪郭補正信号から絶対値を検出する回路と複数の遅延を得るための遅延回路（遅延回路の数は所定のパルス幅による）と前記遅延回路の出力から白ＮＡＭを出力する白ＮＡＭ回路で構成したものである。
【００１１】
この構成によって、元の輪郭補正信号の幅に対して、所定の量広いパルス幅を有する信号が得られ、前記輪郭信号の振幅に応じて制御することができる。
【００１２】
また、制御値生成回路は、所定レベルを減算する減算回路と前記減算回路出力のマイナス信号をクリップするクリップ回路と前記クリップ回路の所定値以上をクリップする所定値以上クリップ回路と利得を調整するための掛け算器と１から前記掛け算器出力を引き算する引き算器からなる構成したものである。
【００１３】
この構成によって、制御値生成回路の出力は、輪郭補正信号の振幅が小さい時には１．０となり、  輪郭信号が大きいところでは１．０より小さい値、例えば０．５とかに設定でき、前記輪郭信号の振幅を前記制御値生成回路で制御できる。
【００１４】
【発明の実施の形態】
本発明の請求項１に記載の発明は、画像信号から輪郭補正信号を生成する輪郭補正信号生成回路と、前記輪郭補正信号生成回路の出力の幅を広げるための拡張回路と、前記拡張回路から前記輪郭補正信号の利得を制御するための制御信号をうる制御値生成回路と、前記輪郭補正信号を前記制御信号で利得を調整する掛け算器と、前記画像信号と前記掛け算器出力を加算する加算器とを備えたものであり、輪郭信号から生成する拡張回路と前記制御値生成回路で前記輪郭補正信号を補正するという作用を有する。
【００１５】
請求項２に記載の発明は、前記拡張回路が前記輪郭補正信号から絶対値を検出する回路と、所定の遅延を得るための遅延回路と、前記遅延回路の出力から白ＮＡＭを出力する白ＮＡＭ回路からなる構成をしており、前記輪郭補正信号の出力を複数の遅延回路に通して白ＮＡＭを得ることで、前記輪郭補正信号より広い幅を持つ拡張回路出力を得ることによって、前記輪郭補正信号の振幅を制御する作用を有する。
【００１６】
請求項３に記載の発明は、前記制御値生成回路は、所定レベルを減算する減算回路と前記減算回路出力のマイナス信号をクリップするクリップ回路と前記クリップ回路の所定値以上をクリップする所定値以上クリップ回路と利得を調整するための掛け算器と１から前記掛け算器出力を引き算する引き算器からなる構成をしており、制御値生成回路の出力は前記輪郭補正信号が小さき時は１、大きいときは１より小さい値、例えば０．５を与えることでスムーズに輪郭補正信号のレベルを制御する作用を有する。
【００１７】
以下、本発明の実施の形態について、図面を用いて説明する。
【００１８】
（実施の形態１）
図１は本発明の撮像装置の輪郭補正の構成図であり、図１において、１は入力端子、２は輪郭補正信号を生成する輪郭補正信号生成回路、３は輪郭補正信号の絶対値をとってかつパルス幅を広げる働きをする拡張回路、４は前記拡張回路出力が小さい時には１を、大きいときには１より小さい所望の値を設定できる制御値生成回路、５は輪郭補正信号と前記制御値生成回路出力を掛け算する掛け算器、６は入力端子のビデオ信号と前記掛け算器出力を足し算する加算器、７は前記加算器出力を出力する出力端子である。
【００１９】
以上のように構成された撮像装置の輪郭補正について、図２を用いてその動作を説明する。
【００２０】
まず、図２（ａ）のビデオ信号が入力端子１より入力される。次に輪郭補正信号生成回路２で図２（ｂ）のような輪郭補正信号が生成される。拡張回路３でこの輪郭補正信号の絶対値をとって幅を拡張することで、図２（ｃ）の信号を得ることができる。制御値生成回路４で前記拡張回路出力から信号が小さいときには１．０を大きいときには例えば０．５になる図２（ｄ）の信号が得られる。
【００２１】
次にこの制御値生成回路出力を前記輪郭補正信号に掛け合わせることによって、輪郭補正信号が大きいときには０．５倍、小さきときには１．０倍された図２（ｅ）の信号が得られる。最後にこの図２（ｅ）とビデオ信号が加算器６で加算され出力端子７に図２（ｆ）の信号が得られる。この結果輪郭補正信号の大きいところの振幅を抑えることができ、違和感のない輪郭補正信号を得ることができる。
【００２２】
（実施の形態２）
図３は本発明の撮像装置の輪郭補正の拡張回路の具体例である。図３において、８は入力端子、９は絶対値回路、１０は複数の遅延回路、１１は前記複数の遅延回路からの入力から白ＮＡＭを得るための白ＮＡＭ回路、１２は出力回路である。
【００２３】
以上のように本実施の形態によれば、入力される図２（ｂ）の波形の絶対値をとり、複数の遅延回路の出力から白ＮＡＭを得ることによって輪郭補正信号より幅の広い信号図２（ｃ）を得ることができる。
【００２４】
これによって輪郭補正信号より幅の広い信号を白ＮＡＭから得ることができ輪郭補正信号の利得を制御することができる。
【００２５】
なお、以上の説明では遅延回路１０は水平帯域示したが垂直の遅延回路でもよい。
【００２６】
（実施の形態３）
図４は本発明の撮像装置の輪郭補正の制御値生成回路の具体例である。図４において１３は入力端子、１４は減算器、１５はマイナククリップ、１６は所定値以上クリップ、１７は掛け算器、１８は１から前記掛け算器出力を減算する第２の減算器、１９は出力端子である。
【００２７】
以上のように本実施の形態によれば、入力される図２（ｃ）の波形から所定値Ａを減算され、マイナスはクリップされる。
【００２８】
次に所定値Ｂ以上をクリップし、０からＢまでの値を所定値以上クリップから得る。掛け算器で０からＢ＊Ｋの信号に変換し、第２の減算器から減算することで、通常は１、前記輪郭補正信号が大きいところは１−Ｂ＊Ｋ、その中間は１と１―Ｂ＊Ｋの中間をとる信号を得ることができ、この信号で違和感のない輪郭補正信号を得ることができる。
【００２９】
【発明の効果】
従来の方式では大きな輪郭補正信号のときには信号をクリップすることで輪郭補正信号を小さく補正していたが、振幅は補正されるが、時間方向に輪郭補正信号が残り、違和感のある輪郭補正信号になっていたが、  以上のように本発明は、輪郭補正信号から時間方向に広げた制御信号を生成することによって  輪郭補正信号の振幅を補正することで違和感のない優れた輪郭補正信号を得ることができるという優れた効果が得られる。
【図面の簡単な説明】
【図１】本発明の実施の形態１における撮像の輪郭補正装置の構成図
【図２】同実施の形態１における撮像の輪郭補正装置の動作を説明するための信号波形図
【図３】本発明実施形態１における輪郭補正信号生成回路の具体的構成図
【図４】本発明実施形態１における制御値生成回路の具体的構成図
【図５】従来の撮像装置の具体的構成図
【図６】従来の撮像の輪郭補正装置の構成図
【図７】従来例の撮像装置輪郭補正の動作を説明するための信号波形図
【符号の説明】
２  輪郭補正信号生成回路
３  拡張回路
４  制御値生成回路
５  掛け算器
６  加算器
９  絶対値
１０  遅延回路
１１  白ＮＡＭ
１５  マイナスクリップ
１６  所定以上クリップ
１７  掛け算器
１８  引き算器
２１  プリズム
２２  ＣＣＤ
２３  プロセス
２４  輪郭補正装置
２６  輪郭補正信号生成回路
２７  リミター
２８  かけ算器
２９  加算器
【図１】
2005012639.tif 000003
【図２】
2005012639.tif 000004
【図３】
2005012639.tif 000005
【図４】
2005012639.tif 000006
【図５】
2005012639.tif 000007
【図６】
2005012639.tif 000008
【図７】
2005012639.tif 000009